(57)【要約】【課題】本発明は、極めて商品価値の高い画期的な護身具を提供することを目的とする。【解決手段】握持部１の先端に棒状殴打部２を突出状態に設けた護身具であって、前記棒状殴打部２は、握持部１の先端を上方に向けた際に立設状態となる立設保持性を有するが、握持部１を振った際にはしなり屈曲する屈曲柔軟性を有する合成樹脂製としたものである。【選択図】        図１
2004232984.tif 000002
【特許請求の範囲】
【請求項１】
握持部の先端に棒状殴打部を突出状態に設けた護身具であって、前記棒状殴打部は、握持部の先端を上方に向けた際に立設状態となる立設保持性を有するが、握持部を振った際にはしなり屈曲する屈曲柔軟性を有する合成樹脂製としたことを特徴とする護身具。
【請求項２】
前記棒状殴打部はゴム製であり、握持部の先端を上方に向けた際に立設状態となる立設保持性を有するが、握持部を振った際にはしなり屈曲する屈曲柔軟性を有するように径寸法及び長さ寸法が設定されていることを特徴とする請求項１記載の護身具。
【請求項３】
前記棒状殴打部は断面円形状であることを特徴とする請求項１，２のいずれか１項に記載の護身具。
【請求項４】
前記棒状殴打部の先端部に重り部を設けたことを特徴とする請求項１〜３のいずれか１項に記載の護身具。
【請求項５】
前記重り部を前記棒状殴打部よりも径大としたことを特徴とする請求項４記載の護身具。
【請求項６】
前記棒状殴打部を伸縮自在としたことを特徴とする請求項１〜５のいずれか１項に記載の護身具。
【請求項７】
前記握持部にストラップを設けたことを特徴とする請求項１〜６のいずれか１項に記載の護身具。
【発明の詳細な説明】
【０００１】
【発明の属する技術分野】
本発明は、護身具に関するものである。
【０００２】
【従来の技術及び発明が解決しようとする課題】
近年、例えばスーパーマーケットやコンビニエンスストアへの強盗などといった凶悪な犯罪が益々増える中、この犯罪に対して自ら身を守るための護身具が種々提案されている。
【０００３】
この護身具として、例えば一般に警察官や警備員が携帯しているものであって、握持部の先端に棒状殴打部を突出状態に設けた護身具、所謂警棒（以下、従来例という。）がある。
【０００４】
この従来例は、いざと言う緊急時に役立つのは勿論、普段身に付けているだけでもアピールとなり、犯罪の抑止力ともなり得る。
【０００５】
ところが、この従来例は、犯罪者から身を守るための護身を本来の目的とするものであるが、棒状殴打部が極めて硬質な素材である為（昔は木刀のような木製であったが、現在は金属製（ステンレス製）のものが主流である。）、殴打した身体の一部分に対して深いダメージを与えることができるが、これは、打ち所が悪いと非常に危険であることを意味する（緊急時にその点を考慮して手加減などすることはできない。）。
【０００６】
とは言え、従来例は、一回の殴打によりダメージを与えることができる面積が非常に狭い為（点で殴打する為）、犯罪者に痛みを与えることはできても、犯罪者の動きを止めるほどの衝撃力を与えにくいのが現状である。
【０００７】
本発明者は、上述した警棒タイプの護身具に着目し、種々の試行錯誤を重ねた結果、極めて商品価値の高い画期的な護身具を開発した。
【０００８】
【課題を解決するための手段】
添付図面を参照して本発明の要旨を説明する。
【０００９】
握持部１の先端に棒状殴打部２を突出状態に設けた護身具であって、前記棒状殴打部２は、握持部１の先端を上方に向けた際に立設状態となる立設保持性を有するが、握持部１を振った際にはしなり屈曲する屈曲柔軟性を有する合成樹脂製としたことを特徴とする護身具に係るものである。
【００１０】
また、前記棒状殴打部２はゴム製であり、握持部１の先端を上方に向けた際に立設状態となる立設保持性を有するが、握持部１を振った際にはしなり屈曲する屈曲柔軟性を有するように径寸法及び長さ寸法が設定されていることを特徴とする請求項１記載の護身具に係るものである。
【００１１】
また、前記棒状殴打部２は断面円形状であることを特徴とする請求項１，２のいずれか１項に記載の護身具に係るものである。
【００１２】
また、前記棒状殴打部２の先端部に重り部３を設けたことを特徴とする請求項１〜３のいずれか１項に記載の護身具に係るものである。
【００１３】
また、前記重り部３を前記棒状殴打部２よりも径大としたことを特徴とする請求項４記載の護身具に係るものである。
【００１４】
また、前記棒状殴打部２を伸縮自在としたことを特徴とする請求項１〜５のいずれか１項に記載の護身具に係るものである。
【００１５】
また、前記握持部１にストラップ４を設けたことを特徴とする請求項１〜６のいずれか１項に記載の護身具に係るものである。
【００１６】
【発明の実施の形態】
好適と考える本発明の実施の形態（発明をどのように実施するか）を、図面に基づいてその作用効果を示して簡単に説明する。
【００１７】
例えば犯罪に巻き込まれるなどして護身を必要とする際、握持部１を握持して振り下ろすなどして、握持部１の先端に設けた棒状殴打部２で犯人の身体を殴打して犯人にダメージを与えることができる。
【００１８】
ところで、本発明は、この棒状殴打部２は、握持部１の先端を上方に向けた際に立設状態となる立設保持性を有するが、握持部１を振った際にはしなり屈曲する屈曲柔軟性を有する合成樹脂製であり、この棒状殴打部２が立設保持性及び屈曲柔軟性を有することで護身具として画期的な作用効果が発揮される。
【００１９】
即ち、仮に棒状殴打部２が柔らか過ぎて立設保持性を有しない場合、握持部１を振る手の力が棒状殴打部２に良好に伝わらない為、被殴打部分に良好なダメージを与えにくく、また、この握持部１の振り動作に棒状殴打部２がついてこなくて殴打するタイミングも遅くなり、その上、取扱い性が悪い故に狙った箇所を外してしまう場合があり、しかも、身体への携帯性が悪いなどの問題点が生じてしまう。
【００２０】
この点、本発明は、棒状殴打部２は、握持部１の先端を上方に向けた際に立設状態となる程度の立設保持性を有することで、握持部１を振る手の力が棒状殴打部２に良好に伝わるから、被殴打部分に良好なダメージを与えることができ、また、この握持部１の振り動作に棒状殴打部２が遅れることなく素早い殴打が可能となり、その上、取扱い性が良い故に狙った箇所を確実に殴打することができ、しかも、見た目には硬質である警棒のような威嚇効果を発揮することになり、携帯性も秀れることになる。
【００２１】
そして、本発明は、棒状殴打部２は単なる硬質の素材で構成されるのではなく、握持部１を振った際にはしなり屈曲する屈曲柔軟性を有するから、例えば手首のスナップ力（軽い力）でも遠心作用により棒状殴打部２に強い殴打力を付与することができ、しかも、殴打した際、被殴打部分に応じて屈曲して殴打することになるから（例えば腕を殴打した際には棒状殴打部２が腕に巻き付いたような状態で殴打することになる。）、それだけ広い表面積を一度で殴打し得ることになり、前述した従来例に比して、例えば身体を殴打した際における殺傷性などの危険は少なく、被殴打部分に与えるダメージは遥かに強い。
【００２２】
【実施例】
図１，２は本発明の第一実施例、図３は第二実施例を図示したものであり、以下に説明する。
【００２３】
第一実施例について説明する。
【００２４】
第一実施例は、握持部１の先端に棒状殴打部２を突出状態に設けた護身具であって、棒状殴打部２は、握持部１の先端を上方に向けた際に立設状態となる立設保持性を有するが、握持部１を振った際にはしなり屈曲する屈曲柔軟性を有する合成樹脂製としたものである。
【００２５】
具体的には、握持部１は、適度な可撓性を有する合成樹脂製の部材（ゴム製部材）を一体成形したものであり、その基端部位にはくびれ部１ａが形成されている。
【００２６】
このくびれ部１ａは、握持部１に対する手のグリップ力を向上し、握持部１を握持して振り動作をした際、握持する手から握持部１が抜けにくくする為のものである。
【００２７】
また、握持部１は、その先端部位に帯状部材から成るストラップ４が設けられている。
【００２８】
従って、握持部１は、このストラップ４を手首に巻いた状態で握持するようにすれば、仮に握持部１を力強く振り動作したとしても手から離れてしまうようなことが可及的に防止されることになる。
【００２９】
また、握持部１の先端部には、断面円形状の棒状殴打部２が一体成形されている。
【００３０】
この棒状殴打部２は、握持部１の先端を上方に向けた際に立設状態となる立設保持性を有するが、握持部１を振った際にはしなり屈曲する屈曲柔軟性を有するように構成されている。
【００３１】
即ち、この構成（立設保持性及び屈曲柔軟性）は、ゴム製（合成樹脂製）であることから達成されるのは勿論、その径寸法及び長さ寸法によっても達成されるものであり、具体的には、本実施例は、径寸法が約２ｃｍ、長さ寸法が約４０ｃｍである。尚、棒状殴打部２の各寸法は、殴打した際に被殴打部分に強いダメージ（衝撃力）を付与し得る護身具としての機能を考慮しての構成であるのは勿論、身体（例えば腰周り）に付けても邪魔にならない携帯機能も考慮して適宜設定される。
【００３２】
また、棒状殴打部２は、その先端部に球状の重り部３が設けられており、この重り部３は棒状殴打部２よりも径大に設定されている。
【００３３】
従って、この重り部４により、握持部１を振った際、棒状殴打部２に遠心力が作用することにより、それだけ棒状殴打部２の速度が速くなり強い殴打が行えることになり、強いダメージ（衝撃力）を与えることができることになる。
【００３４】
本実施例は上述のように構成したから、例えば犯罪に巻き込まれるなどして護身を必要とする際、握持部１を握持して振り下ろすなどして、握持部１の先端に設けた棒状殴打部２で犯人の身体を殴打して犯人にダメージを与えることができる。この際、棒状殴打部２は屈曲柔軟性を有する為、被殴打部分に応じて屈曲して（巻き付いたような状態にて）殴打することになる。
【００３５】
よって、本実施例によれば、この棒状殴打部２が立設保持性及び屈曲柔軟性を有することで、誰でも（非力な女性や子供であっても）確実に被殴打部分にダメージを与える殴打を行うことができ、護身具として極めて秀れることになり、また、例えばスーパーマーケットやコンビニエンスストアの店員が身につけたり、レジの後など店内の人目のつくところに掛けておくだけでも非常に効果的である（犯罪の抑止力となり得る。）。
【００３６】
また、本実施例は、棒状殴打部２を断面円形状としたから、この棒状殴打部２の良好なしなり屈曲が達成されると共に、殴打する方向性が決定されない故に例えば突然の緊急時においても常に良好な殴打が行えることになる。
【００３７】
また、本実施例は、棒状殴打部２の先端部に重り部３を設けたから、殴打面積の広い良好な巻き付き殴打が可能であり、しかも、遠心力が作用することにより、それだけ棒状殴打部２の殴打速度が速くなるから、被殴打部分に強いダメージを与えることができることになる。
【００３８】
また、本実施例は、重り部３を棒状殴打部２よりも径大としたから、この重り部３も殴打する部位として良好に機能することになり、棒状殴打部２によるダメージの他に、別途ダメージを付与することができることになる。
【００３９】
また、本実施例は、握持部１にストラップ４を設けたから、例えば強い振り動作をしても握持部１から手が離れてしまうようなことはなく、しかも、強いグリップ感が得られるから、それだけ強い殴打が行えることになる。
【００４０】
次に、第二実施例について説明する。
【００４１】
第二実施例は、棒状殴打部２を伸縮自在に構成したものである。
【００４２】
具体的には、握持部１を上部開口部を有する有底筒状とし、この握持部１に棒状部材５をスライド自在となるように嵌挿連結して棒状殴打部２を構成したものである。この握持部１の筒孔１ｂ内には該筒孔１ｂ内に嵌挿した棒状部材５の基端部が係止する係止段部１ｂ’が形成されており、よって、棒状部材５は、筒孔１ｂ内に圧入状態で嵌挿連結した後は、該筒孔１ｂ内をスライド自在にして係止段部１ｂ’に抜け止め係止することになる。
【００４３】
従って、棒状殴打部２が伸縮する故に不使用時にはコンパクトにすることができて携帯に便利である。
【００４４】
尚、本発明は、本実施例に限られるものではなく、各構成要件の具体的構成は適宜設計し得るものである。
【００４５】
【発明の効果】
本発明は上述のように構成したから、確実に被殴打部分にダメージを与える殴打を行うことができるなど極めて商品価値の高い画期的な護身具となる。
【００４６】
また、請求項２記載の発明においては、棒状殴打部の具体的な構成から確実に被殴打部分にダメージを与える殴打を行うことができるなど極めて商品価値の高い画期的な護身具となる。
【００４７】
また、請求項３記載の発明においては、棒状殴打部を断面円形状としたから、この棒状殴打部の良好なしなり屈曲が達成されると共に、殴打する方向性が決定されない故に常に良好な殴打が行えることになるなど極めて商品価値の高い画期的な護身具となる。
【００４８】
また、請求項４記載の発明においては、棒状殴打部の先端部に重り部を設けたから、遠心力が作用することにより、より一層被殴打部分への良好な殴打が行われることになるなど極めて商品価値の高い画期的な護身具となる。
【００４９】
また、請求項５記載の発明においては、重り部を棒状殴打部よりも径大としたから、この重り部も殴打する部位として良好に機能することになり、棒状殴打部によるダメージの他に、別途ダメージを付与することができることになるなど極めて商品価値の高い画期的な護身具となる。
【００５０】
また、請求項６記載の発明においては、棒状殴打部を伸縮自在としたから、より一層携帯に便利となるなど極めて商品価値の高い画期的な護身具となる。
【００５１】
また、請求項７記載の発明においては、握持部にストラップを設けたから、例えば強い振り動作をしても握持部から手が離れてしまうようなことはなく、しかも、強いグリップ感が得られるから、それだけ強い殴打が行えることになるなど極めて商品価値の高い画期的な護身具となる。
【図面の簡単な説明】
【図１】第一実施例を示す正面図である。
【図２】第一実施例の使用状態説明図である。
【図３】第二実施例に係る要部を説明する断面図である。
【符号の説明】
１  握持部
２  殴打部
３  重り部
４  ストラップ
【図１】
2004232984.tif 000003
【図２】
2004232984.tif 000004
【図３】
2004232984.tif 000005